(57)【要約】【課題】ビス止めよりも容易にパネルを躯体に着脱できるようにすることである。【解決手段】躯体１に多数枚のパネル２を縦横に並べて取り付ける構造であって、躯体１とパネル２をバックル６によって着脱可能に取り付け、バックルの雄部材１７と雌部材１６のうち一方を躯体１に、他方をパネル２の裏面縁部にそれぞれ固定することを特徴とするパネルの取付構造。また、ガイドレール１０に沿ってスライダー１１を移動可能とした位置調整部材５を、雄部材１７と雌部材１６のうち躯体に固定する方と躯体１との間に介在し、躯体１にはガイドレール１０を固定し、雄部材１７と雌部材１６のうち躯体に固定する方にはスライダー１１を固定することを特徴とする。【選択図】　　　図１
2004108043.tif 000002
【特許請求の範囲】
【請求項１】
躯体（１）に多数枚のパネル（２）を縦横に並べて取り付ける構造であって、
躯体（１）とパネル（２）をバックル（６）によって着脱可能に取り付け、バックルの雄部材（１７）と雌部材（１６）のうち一方を躯体（１）に、他方をパネル（２）の裏面縁部にそれぞれ固定することを特徴とするパネルの取付構造。
【請求項２】
ガイドレール（１０）に沿ってスライダー（１１）を移動可能とした位置調整部材（５）を、雄部材（１７）と雌部材（１６）のうち躯体に固定する方と躯体（１）との間に介在し、
躯体（１）にはガイドレール（１０）を固定し、雄部材（１７）と雌部材（１６）のうち躯体に固定する方にはスライダー（１１）を固定することを特徴とする請求項１記載のパネルの取付構造。
【請求項３】
パネル（２）をその厚み方向へ移動することによって、雄部材（１７）と雌部材（１６）を連結することを特徴とする請求項１又は２記載パネルの取付構造。
【請求項４】
隣接するパネル（２）の端面同士の間に、バックルの連結解除具（Ｋ）を挿入する差込空間（Ｇ）をあけ、差込空間（Ｇ）を形成するパネル（２）の端面よりも内側にバックル（６）を配置することを特徴とする請求項１、２又は３記載のパネルの取付構造。
【発明の詳細な説明】
【０００１】
【発明の属する技術分野】
本発明は、主に内装用のパネルを躯体に取り付ける構造に関する。
【０００２】
【従来の技術】
パネルを躯体に取り付ける従来の技術としては、パネルの縁部を躯体にビス止めする方法が一般的である。
【０００３】
【発明が解決しようとする課題】
しかし、パネルの着脱作業は、パネルを押さえながらドライバーを回すことになるので、厄介である。従って、例えば部屋の模様変えをするために、パネルを模様の異なるものに交換する場合等には、パネルの着脱を一挙にする必要があり、大変な作業となる。本発明は上記実情を考慮して開発されたもので、その解決課題は、ビス止めよりも容易にパネルを着脱できるようにすることである。
【０００４】
【課題を解決するための手段】
請求項１記載の発明は、躯体に多数枚のパネルを縦横に並べて取り付ける構造であって、躯体とパネルをバックルによって着脱可能に取り付け、バックルの雄部材と雌部材のうち一方を躯体に、他方をパネルの裏面縁部にそれぞれ固定することを特徴とする。なお、雄部材と雌部材のうち一方と躯体との固定、並びに他方とパネルとの固定は、他の部材を介して間接的に固定しても良いし、直に固定しても良い。
【０００５】
躯体に対するパネルの取付位置は、バックルによって決まる。バックルが躯体に対して移動可能な構造であれば、パネルの取付位置を調整しやすい。それには請求項２記載の発明のように、ガイドレールに沿ってスライダーを移動可能とした位置調整部材を、雄部材と雌部材のうち躯体に固定する方と躯体との間に介在し、躯体にはガイドレールを固定し、雄部材と雌部材のうち躯体に固定する方にはスライダーを固定することが望ましい。
【０００６】
雄部材と雌部材を連結する際の方向性はパネルの取付作業に影響を与える。例えば、バックルは、躯体の平面に沿う方向にパネルを動かすことによって、雄部材と雌部材を連結する構造であっても良い。しかし、この構造は、躯体の平面に沿う方向にパネルを動かす前に、パネルをその厚み方向に移動する手間が必要となる。従って、取付作業を迅速にするには、請求項３記載の発明のように、パネルをその厚み方向へ移動することによって、雄部材と雌部材を連結することが望ましい。
【０００７】
バックルは、パネルの端面よりも外側に突出する構造であっても良いが、隣接するパネルの端面同士の隙間を狭くするには、請求項４記載の発明のように、隣接するパネルの端面同士の間に、バックルの連結解除具を挿入する差込空間をあけ、差込空間を形成するパネルの端面よりも内側にバックルを配置することが望ましい。
【０００８】
【発明の実施の形態】
本発明のパネルの取付構造の一例は天井用で、図１に示すように、躯体１にパネル２を連結具３で着脱可能に吊り下げてある。
【０００９】
連結具３は、躯体１に直に固定する補助金具４と、補助金具４に固定する位置調整部材５と、位置調整部材５とパネル２を連結するバックル６とからなる。
【００１０】
補助金具４は、躯体１の天井から多数本の吊りボルト７を間隔をあけて垂下し、各吊りボルト７に支持金具８を締結する。支持金具８は、その上部をＬ字状に屈曲すると共に吊りボルト７にナットで締結する。また、支持金具８は、その下部を下向きに開口するコ字状に形成すると共に左右側片をフック９として、両フック９，９で位置調整部材５を支える。
【００１１】
位置調整部材５は、複数の支持金具８の下部に引っ掛けるガイドレール１０と、ガイドレール１０に沿って移動するスライダー１１とからなり、スライダー１１をバックル６に固定する。
【００１２】
ガイドレール１０は、左右対称形状であって、下向きに開口するコ字状をなし、その左右側片１２にＴ字状のガイド部１３を内向きに突出し、左右側片１２を繋ぐ主片１４の左右に、支持金具８のフック９に引っ掛ける鉤形の係合片１５を突出してある。また、ガイドレール１０は図３に示すように、左右に間隔をあけて並列するもので、二本のガイドレール１０，１０間にパネル２を固定する。
【００１３】
スライダー１１は、バックル６の雌部材１６の一部分であり、角張ったＣ字状に形成され、ガイド部１３をくわえこむものである。
【００１４】
バックル６は、雄部材１７と雌部材１６とからなり、パネル２を厚み方向に移動することによって、パネル２の裏面に有する雄部材１７が、躯体１に取り付けた雌部材１６に収容されて連結し、雌部材１６内のスプリング１８の弾性力によって雄部材１７との連結を維持する。また、図５及び図６に示すようにバックル６は、ガイドレール１０に対して左右対称に取り付けられ、隣接するパネル２，２の端面同士の間の差込空間Ｇから連結解除具Ｋを挿入し、連結解除具Ｋで雌部材１６を押圧してスプリング１８の弾性力を解放することにより、雄部材１７との連結を解除する。
【００１５】
雄部材１７は図１に示すようにパネル２の裏面から厚み方向に突出するもので、その突出片１９の先部に係止穴２０をあけ、突出片１９の一端にパネル２への取付片２１を屈曲してある。
【００１６】
雌部材１６は図１又は図２に示すように、不動子２２に対して揺動子２３を対向する状態で揺動可能に設け、揺動子２３の躯体側の端部と不動子２２との間にスプリング１８を伸縮自在に固定し、揺動子２３のパネル側の端部と不動子２２との間に雄部材１７の突出片１９を収容可能に設け、揺動子２３の一端部には、係止穴２０に引っ掛ける爪２４を不動子２２に向かって突出し、スプリング１８の弾性力によって爪２４を不動子２２に押し付け、爪２４の先部を挿入する抜止め穴２５を不動子２２にあけて、爪２４と係止穴２０との連結を強固にしてある。
【００１７】
不動子２２は図２に示すように基板２６の左右に折返し片２７を前方に突出し、一方、揺動子２３も基板２８の左右に折返し片２９を後方に突出し、双方の折返し片２７，２９の中央部を重ね合わせて軸３０で支持する。また、不動子２２は、基板２８の背面側の一端部にはスライダー１１を有し、基板２８の背面側の他端部に後方への屈曲片３１を有し、その屈曲片３１に位置決めバネ部材としての板バネ３２を有する。板バネ３２はその両端部を屈曲片３１に固定すると共に、中央部をアーチ状に湾曲してあり、そのアーチ部分をガイドレール１０の主片１４に押しつけて変形させることによって、雌部材１６をガイド部１３に沿って移動させる際に、板バネ３２の弾性力に逆らう力が必要となる。
【００１８】
パネル２は図４に示すように、矩形の平板であって、その裏面の対向する二辺に沿ってアングルプレート３３を、端面よりも内側にビス止め等で固定し、各アングルプレート３３の両端部を雄部材１７とし、両端部以外の部分をパネル補強部３４とし、雄部材１７と補強部３４との境目にバックル連結用の溝３５を形成し、溝３５に雌部材１６の不動子２２の折返し片２７を収容する。また、パネル２の裏面にはアングルプレート３３よりも外側に沿って柔軟なシール部材３６を取り付け、シール部材３６の先端部をパネル２の端面よりも外側に突出してある。そして、ガイドレール１０を中心にして左右に隣接するパネル２，２は、図５に示すようにシール部材３６の先端部同士が突き合わさることによって、差込空間Ｇから躯体１が見えないようにすると共に、埃の侵入を阻止してある。
【００１９】
連結解除具Ｋは図６に示すように、バー３７の先部にロッド３８をＴ字状に固定し、バー３７の他端部側に図示しないグリップを設け、バー３７とロッド３８の直径を何れも差込空間Ｇの幅よりも細く形成してある。使用時には、ロッド３８を差込空間Ｇの長手方向に沿わせてから、バー３７を差込空間Ｇから内部に押し込み、グリップを回す。すると、バー３７を中心にしてロッド３８が回転し、ロッド３８の両端部で２つの雌部材１６の揺動子２３を押し込み、爪２４が雄部材１７の係止穴２０から脱出し、バックル６の連結が解除される。
【００２０】
上述したパネルの取付構造の外観は、図３に示すように、横方向に隣接するパネル２，２の端面同士の間に差込空間Ｇがガイドレール１０の長手方向に沿って形成され、その差込空間Ｇを躯体側からシール部材３６で塞ぎ、縦方向に隣接するパネル２，２の端面同士を突き合わせる形態としてある。
【００２１】
本発明は上記実施形態に限定されない。例えば、パネル２は図８に示すように、その裏面全周に亘ってシール部材３６を枠状に接着しても良く、このようにすれば図７に示すように、縦横に隣接するパネル同２，２士の間には縦方向と横方向にシール部材３６が目地のように露出することになり、体裁が良い。
【００２２】
また、パネル２を躯体１の天井ではなく、壁面に固定しても良い。パネル２を躯体１の壁面に固定する一例としては、ガイドレール１０を水平方向に平行に固定すれば、板バネ３２の弾性力やパネル２の重力がガイドレールに直行する方向に働くので、ガイドレール１０に沿って雌部材１６、ひいてはパネル２が自然と移動することはない。但し、ガイドレール１０を鉛直方向等に固定する場合は、パネル２の重力でガイドレール１０に沿って雌部材１６が移動する力が働くので、図９に示すように、留め片３９を雌部材１６から突出して、留め片３９をガイドレール１０にビス止めして、雌部材１６の移動を阻止することが望ましい。
【００２３】
さらに、雌部材１６をパネル２に固定し、雄部材１７を躯体１に固定しても良い。この場合、スライダー１１並びに位置決めバネ部材としての板バネ３２は、雄部材１７に固定する。
【００２４】
【発明の効果】
請求項１記載の発明は、バックルの雄部材と雌部材のうち一方が躯体に固定されているので、雄部材と雌部材が連結する方向にパネルを動かすだけで、パネルの取付作業が完了するので、取付作業が迅速に行える。また、バックルは押圧するだけで雄部材と雌部材の連結が解除されるものであり、雄部材と雌部材のうち他方をパネルの縁部に固定して、パネルの端面側からバックルを押圧しやすくしてあるので、パネルの取り外し作業も迅速に行える。
【００２５】
請求項２記載の発明は、ガイドレールに沿ってスライダーを移動することによって、躯体に対するバックルの取付位置が調整できるので、その結果、パネルの取付位置が調整できる。
【００２６】
請求項３記載の発明は、パネルを厚み方向に移動させる操作だけで、雄部材と雌部材が連結するので、パネルの取付作業が迅速に行える。
【００２７】
請求項４記載の発明は、バックルよりもパネルの縁部が外側に張り出しているので、隣接するパネルの端面同士の間に形成する差込空間が、バックルの連結解除具の形状に合わせて狭くでき、体裁が良くなる。
【図面の簡単な説明】
【図１】パネルの取付構造を分解して示す断面図である。
【図２】（イ）（ロ）（ハ）（ニ）バックルの雌部材を示す正面図、Ａ−Ａ線断面図、下面図、揺動子を押圧した状態を示す断面図である。
【図３】パネルの取付構造の全体像を示す正面図である。
【図４】パネルを裏面側から視た斜視図である。
【図５】図３のＡ−Ａ線断面図である。
【図６】連結解除具の使用状態を示す断面図である。
【図７】パネルの取付構造の別の例を示す正面図である。
【図８】パネルの別の例を示す正面図である。
【図９】雌部材をガイドレールにビス止めした状態を示す断面図である。
【符号の説明】
１　躯体
２　パネル
５　位置調整部材
６　バックル
１０　ガイドレール
１１　スライダー
１６　雌部材
１７　雄部材
Ｇ　差込空間
Ｋ　連結解除具
【図１】
2004108043.tif 000003
【図２】
2004108043.tif 000004
【図３】
2004108043.tif 000005
【図４】
2004108043.tif 000006
【図５】
2004108043.tif 000007
【図６】
2004108043.tif 000008
【図７】
2004108043.tif 000009
【図８】
2004108043.tif 000010
【図９】
2004108043.tif 000011